(57)【要約】【課題】目標達成のために行うユーザの行動を適切に促進することのできる行動促進システム等を提供する。【解決手段】行動データ蓄積手段２１は、各ユーザの行動に関する全体行動データを蓄積する。グループ行動データ群抽出手段２２は、対象ユーザの行動データに基づいて、蓄積された全体行動データから対象ユーザを含むグループ行動データを抽出する。グループ行動データ処理手段２３は、全体行動データにおけるグループ行動データの位置情報を表示するための表示データを生成する。対象ユーザ行動データ処理手段２４は、抽出されたグループ行動データにおける対象ユーザの行動データの位置情報を表示するための表示データを生成する。そして、行動データ提示手段１２は、生成された両表示データを表示することで、同じ行動をしているユーザ全体の状況と、対象となるユーザの近辺の詳細な状況の双方を提示する。【選択図】図１
2010204883.tif 000002
【特許請求の範囲】
【請求項１】
各ユーザの行動に関するそれぞれの行動データによって構成される全体行動データ群を蓄積する行動データ蓄積手段と、
対象ユーザの前記行動データに基づいて、所定の条件により前記全体行動データ群から当該対象ユーザを含むグループ行動データ群を抽出するグループ行動データ群抽出手段と、
抽出された前記グループ行動データ群における前記対象ユーザの行動データの位置情報を表示するための表示データを生成する対象ユーザ行動データ処理手段と、
前記全体行動データ群における前記グループ行動データ群の位置情報を表示するための表示データを生成するグループ行動データ処理手段と、
を備えることを特徴とする行動促進システム。
【請求項２】
前記グループ行動データ群における前記対象ユーザの行動データの位置情報と、前記全体行動データ群における前記グループ行動データ群の位置情報とは、異なる算出方法により計算され、各位置情報をそれぞれ表示するための表示データは同時に表示される、
ことを特徴とする請求項１に記載の行動促進システム。
【請求項３】
前記グループ行動データ群抽出手段は、前記対象ユーザの行動データと、他のユーザの行動データとの予め定めた算出手法により算出した距離に基づいて、該対象ユーザより予め定めた範囲内のグループ行動データ群を抽出する、
ことを特徴とする請求項１又は２に記載の行動促進システム。
【請求項４】
ユーザの前記行動データを取得する行動データ取得手段を、
更に備えたことを特徴とする請求項１乃至３の何れか１項に記載の行動促進システム。
【請求項５】
前記対象ユーザ行動データ処理手段が生成する表示データと、前記グループ行動データ処理手段が生成する表示データをユーザに提示する行動データ提示手段を、
更に備えたことを特徴とする請求項１乃至４の何れか１項に記載の行動促進システム。
【請求項６】
前記グループ行動データ群抽出手段は、
ユーザの属性を示すユーザ属性データを蓄積するユーザ属性データ蓄積手段と、
前記ユーザ属性データを参照し、ユーザの前記行動データに基づいてユーザ間の距離を求めるユーザ間距離計算手段と、
前記ユーザ間距離計算手段が算出した距離に基づいてユーザをグルーピングするユーザグループ作成手段と、を含む、
ことを特徴とする請求項１乃至５の何れか１項に記載の行動促進システム。
【請求項７】
前記対象ユーザ行動データ処理手段は、
前記グループ行動データ群抽出手段により抽出されたグループ行動データ群におけるユーザの位置情報を計算するグループ内ユーザ位置計算手段と、
前記グループ内のユーザの位置情報、およびユーザの行動データと属性データのうちのどのユーザのどのデータをどのように提示するかを示す提示方法を蓄積する提示方法蓄積手段と、
前記提示方法蓄積手段に蓄積された提示方法に従って提示する情報を選択する提示データ選択手段と、
前記提示データ選択手段により選択されたデータを前記提示方法に従って加工する提示データ加工手段と、を含む、
ことを特徴とする請求項１乃至６の何れか１項に記載の行動促進システム。
【請求項８】
過去の行動データに基づいて、対象ユーザの行動データが最も良い値をとる表示方法を求める表示方法変更手段を、
更に備えたことを特徴とする請求項１乃至７の何れか１項に記載の行動促進システム。
【請求項９】
ユーザのグルーピング方法を指定する分類方法指定手段を、
更に備えたことを特徴とする請求項１乃至７の何れか１項に記載の行動促進システム。
【請求項１０】
前記表示方法変更手段と、前記分類方法指定手段との両方を、
更に備えることを特徴とする請求項１乃至７の何れか１項に記載の行動促進システム。
【請求項１１】
前記グループ行動データ処理手段は、前記グループ行動データ群抽出手段により抽出されたグループについて全体の中での位置情報を算出し、抽出されたグループに含まれないユーザ群については、位置情報の分布の分析を行い、まとめた情報を算出する、
ことを特徴とする請求項１乃至１０の何れか１項に記載の行動促進システム。
【請求項１２】
前記対象ユーザ行動データ処理手段は、位置情報として、前記ユーザ行動データと、前記ユーザ属性データを参照し、予め定めた方法によりユーザ行動データの評価を行い、当該評価の値によってユーザを昇順に並べ替えたときの先頭からの順位を算出する、
ことを特徴とする請求項６乃至１１の何れか１項に記載の行動促進システム。
【請求項１３】
各ユーザの端末にてそれぞれ取得された行動データによって構成される全体行動データ群を蓄積する行動データ蓄積手段と、
対象ユーザの前記行動データに基づいて、所定の条件により前記全体行動データ群から当該対象ユーザを含むグループ行動データ群を抽出するグループ行動データ群抽出手段と、
抽出された前記グループ行動データ群における前記対象ユーザの行動データの位置情報をユーザの端末に表示するための表示データを生成する対象ユーザ行動データ処理手段と、
前記全体行動データ群における前記グループ行動データ群の位置情報をユーザの端末に表示するための表示データを生成するグループ行動データ処理手段と、
を備えたことを特徴とするサーバ。
【請求項１４】
各ユーザの行動に関するそれぞれの行動データによって構成される全体行動データ群をもとに、対象ユーザの前記行動データに基づいて、所定の条件により前記全体行動データ群から当該対象ユーザを含むグループ行動データ群を抽出するステップと、
前記グループ行動データ群における前記対象ユーザの行動データの位置情報を表示するステップと、
前記全体行動データ群における前記グループ行動データ群の位置情報を表示するステップと、
を備えたことを特徴とする提示方法。
【請求項１５】
コンピュータを、
各ユーザの行動に関するそれぞれの行動データによって構成される全体行動データ群を蓄積する行動データ蓄積部と、
対象ユーザの前記行動データに基づいて、所定の条件により前記全体行動データ群から当該対象ユーザを含むグループ行動データ群を抽出するグループ行動データ群抽出部、
抽出された前記グループ行動データ群における前記対象ユーザの行動データの位置情報を表示するための表示データを生成する対象ユーザ行動データ処理部、
前記全体行動データ群における前記グループ行動データ群の位置情報を表示するための表示データを生成するグループ行動データ処理部、
として機能させることを特徴とするプログラム。
【発明の詳細な説明】
【技術分野】
【０００１】
本発明は、目標達成のために行うユーザの行動を適切に促進することのできる行動促進システム、サーバ、提示方法、および、プログラムに関する。
【背景技術】
【０００２】
ユーザの行動を促進するシステムは、これまでにも種々の提案がなされている。例えば、単に有用と思われる情報をユーザに提示するシステムだけでなく、ユーザの行動に関し、特に有用なデータを自動または手動にて取得して、行動の促進のために活用するシステム等である。
【０００３】
健康・環境・学習等に目標を掲げたユーザの行動を促進するためには、そのユーザの自発的な行動が必要である。そのためには、ユーザ自身の行動状況を提示するだけでなく、目標に向けて行動している他者（競争相手や仲間等）の情報を提示することが効果的とされている。
このような他者の情報を提示することでユーザの行動を促進する発明も開示されている（例えば、特許文献１，２参照）。
【０００４】
特許文献１には、ダイエットという目標に向かって行動するユーザに、Ｗｅｂブラウザ経由で必要な情報の取得・提示を行うことで、ユーザの行動を支援する発明（ダイエット支援システムの発明）が開示されている。このシステムでは、最初にダイエットの目標値をユーザに入力させ、また、日々の食事内容と体重を逐次入力させる。そして、食事の摂取カロリーや状況に応じたアドバイスを、日々の変化に合わせて表示する。その上、このシステムでは、類似のダイエット目標を掲げた他者（ライバル）を自動抽出し、その他者の経過を表示することで、競争心を掻き立てる。
【０００５】
また、特許文献２には、周りで学習している人を感じさせる「自習室」を、仮想的に作り出すことで学習支援を行う発明（通信教育システムの発明）が開示されている。このシステムでは、教材を学習するユーザの学習履歴を学習開始からの時間経過に対応させて記録する。そして、同じ教材を過去に使用した他のユーザの中から、プロファイルや履歴が似ている他者（学習者）を抽出する。そして、抽出した他者の学習履歴を、現在その教材で学習をしているユーザの時間経過に合わせて提示することで、孤独感を減少させ、他者への対抗意識を掻き立てる。
【先行技術文献】
【特許文献】
【０００６】
【特許文献１】特開２００１−３３１５８５号公報（第３−６頁、第２図）
【特許文献２】特開２００３−１６２２０９号公報（第３−９頁、第１図）
【発明の概要】
【発明が解決しようとする課題】
【０００７】
ユーザの行動を促進するためには、ユーザが他者と一緒に目標に向かって努力しているという実感を与え、仲間意識や競争意識を刺激することが、効果的なアプローチとなる。  このような実感をユーザに与えるためには、全体の中で自分（ユーザ）がどの位置にいるのかという情報と、自分の位置の周辺にいる他者（ライバル）がどのような努力過程や現状なのかという情報とからなる２種類の情報が、それぞれ重要な要素になると考えられる。
具体的にマラソンを一例とした場合には、全体の中で自分が何位にいるのかと、自分の周辺にいるライバル（隣で走っている他者、追い上げてきた他者、及び、追い抜いていった他者等）とが重要な要素であり、これら両方の要素を把握することで、競争心が刺激される。
【０００８】
しかしながら、上述した特許文献１，２の発明では、このような重要な要素が欠けており、実際には充分な成果が得られないと考えられる。
すなわち、特許文献１，２の発明では、静的なユーザのプロファイルを元に他者が選択され、その他者の情報が提示されるだけである。そのため、実際にユーザの周辺にいる他者（競うべきライバル）が選択されず、上述した２つ目の重要な要素が提示されない。つまり、特許文献１の発明では、ユーザが行動を始める前に設定した目標から、提示する他者を選択しているだけである。そのため、実際にユーザの周辺にいる他者（例えば、その瞬間に隣に「並んで」いるユーザ）が選ばれない。また、引用文献２の発明でも、同じ教材を過去に使用し、かつ、プロファイルが似た他者を選択しており、そのような他者のデータを、ユーザの時間経過に擬似的に同期させて提示しているだけである。
また、特許文献１，２の発明では、何れも、上述した１つ目の重要な要素が何ら提示されないため、ユーザと全体との関係や全体の状況を把握することができない。
【０００９】
このように、特許文献１，２の発明では、ユーザが他者と一緒に目標に向かって努力しているという実感を与えることができず、仲間意識や競争意識を刺激することが難しいため、ユーザの行動を充分に促進することができなかった。
【００１０】
本発明は、このような課題を解決するためになされたもので、目標達成のために行うユーザの行動を適切に促進することのできる行動促進システム、サーバ、提示方法、および、プログラムを提供することを目的とする。
【課題を解決するための手段】
【００１１】
本発明の第１の観点に係る行動促進システムは、
各ユーザの行動に関するそれぞれの行動データによって構成される全体行動データ群を蓄積する行動データ蓄積手段と、
対象ユーザの前記行動データに基づいて、所定の条件により前記全体行動データ群から当該対象ユーザを含むグループ行動データ群を抽出するグループ行動データ群抽出手段と、
抽出された前記グループ行動データ群における前記対象ユーザの行動データの位置情報を表示するための表示データを生成する対象ユーザ行動データ処理手段と、
前記全体行動データ群における前記グループ行動データ群の位置情報を表示するための表示データを生成するグループ行動データ処理手段と、
を備えることを特徴とする。
【００１２】
本発明の第２の観点に係るサーバは、
各ユーザの端末にてそれぞれ取得された行動データによって構成される全体行動データ群を蓄積する行動データ蓄積手段と、
対象ユーザの前記行動データに基づいて、所定の条件により前記全体行動データ群から当該対象ユーザを含むグループ行動データ群を抽出するグループ行動データ群抽出手段と、
抽出された前記グループ行動データ群における前記対象ユーザの行動データの位置情報をユーザの端末に表示するための表示データを生成する対象ユーザ行動データ処理手段と、
前記全体行動データ群における前記グループ行動データ群の位置情報をユーザの端末に表示するための表示データを生成するグループ行動データ処理手段と、
を備えることを特徴とする。
【００１３】
本発明の第３の観点に係る提示方法は、
各ユーザの行動に関するそれぞれの行動データによって構成される全体行動データ群をもとに、対象ユーザの前記行動データに基づいて、所定の条件により前記全体行動データ群から当該対象ユーザを含むグループ行動データ群を抽出するステップと、
前記グループ行動データ群における前記対象ユーザの行動データの位置情報を表示するステップと、
前記全体行動データ群における前記グループ行動データ群の位置情報を表示するステップと、
を備えたことを特徴とする。
【００１４】
本発明の第４の観点に係るプログラムは、
コンピュータを、
各ユーザの行動に関するそれぞれの行動データによって構成される全体行動データ群を蓄積する行動データ蓄積部と、
対象ユーザの前記行動データに基づいて、所定の条件により前記全体行動データ群から当該対象ユーザを含むグループ行動データ群を抽出するグループ行動データ群抽出部、
抽出された前記グループ行動データ群における前記対象ユーザの行動データの位置情報を表示するための表示データを生成する対象ユーザ行動データ処理部、
前記全体行動データ群における前記グループ行動データ群の位置情報を表示するための表示データを生成するグループ行動データ処理部、
として機能させることを特徴とする。
【発明の効果】
【００１５】
本発明によれば、目標達成のために行うユーザの行動を適切に促進することができる。
【図面の簡単な説明】
【００１６】
【図１】本発明の第１の実施形態に係る行動促進システムの構成を示すブロック図である。
【図２】グループ行動データ群抽出手段の詳細な構成を示すブロック図である。
【図３】対象ユーザ行動データ処理手段の詳細な構成を示すブロック図である。
【図４】生成される表示データにおける２種類の内容の関係を示す図である。
【図５】本発明の第１の実施形態に係る行動促進システムの動作を示すフローチャートである。
【図６】本発明の第２の実施形態に係る行動促進システムの構成を示すブロック図である。
【図７】本発明の第３の実施形態に係る行動促進システムの構成を示すブロック図である。
【図８】本発明の第４の実施形態に係る行動促進システムの構成を示すブロック図である。
【図９】行動データ蓄積手段に蓄積されたデータの一例を示す図である。
【図１０】ユーザ属性データ蓄積手段に蓄積されたデータの一例を示す図である。
【図１１】グループ行動データ群抽出手段による変換結果の一例を示す図である。
【図１２】グループ行動データ処理手段による位置算出に用いられるアルゴリズムの一例を示す図である。
【図１３】グループ行動データ処理手段による表示例を示す図である。
【図１４】対象ユーザ行動データ処理手段による表示例を示す図である。
【図１５】順位が上がったユーザのデータを強調した表示例を示す図である。
【図１６】分類方法指定手段により指定される分類方法の一例を示す図である。
【発明を実施するための形態】
【００１７】
以下、本発明の実施形態について図面を参照して説明する。
なお、以下では、端末装置とサーバ装置とからなる簡略化された行動促進システムを、実施形態として説明するが、端末装置とサーバ装置との間には、所定のネットワーク環境が介在しているものとする。つまり、端末装置とサーバ装置は、インターネット、専用回線、若しくは、ＬＡＮ等のネットワーク環境（有線・無線を問わない）を介して通信可能となっている。
また、端末装置を１つに省略して説明するが、各ユーザに応じて、それぞれ端末装置が使用されるため、複数の端末装置が、それぞれサーバ装置と通信可能となっている。
そして、以下の実施形態は説明のためのものであり、本願発明の範囲を制限するものではない。従って、当業者であればこれらの各要素または全要素をこれと均等なものに置換した実施形態を採用することが可能であるが、これらの実施形態も本発明の範囲に含まれる。
【実施例１】
【００１８】
まず、本発明の第１の実施形態について図面を参照して詳細に説明する。
図１は、本発明の第１の実施形態に係る行動促進システムの構成を示すブロック図である。図示するように、本発明の第１の実施形態に係る行動促進システムは、ユーザが操作または閲覧する端末装置１０と、データの蓄積および計算処理を行うサーバ装置２０とからなる。
【００１９】
端末装置１０は、行動データ取得手段１１と、行動データ提示手段１２とを備えて構成される。
なお、端末装置１０は、例えば、演算部（一例として、ＣＰＵ等）、記憶部（一例として、ＲＡＭ，ＲＯＭ，ハードディスク等）、通信部（一例として、ＮＩＣ等）、及び、表示部（一例として、ディスプレイ等）を有するコンピュータ等からなる。そして、記憶部に記憶されたプログラム等に基づいて動作する演算部や、演算部に制御される通信部・表示部が、これら行動データ取得手段１１、及び、行動データ提示手段１２として機能する。
【００２０】
行動データ取得手段１１は、ユーザの行動データを取得する。例えば、行動データ取得手段１１は、ユーザの日々の行動に関するデータを、手動または自動で取得する。
【００２１】
行動データ提示手段１２は、サーバ装置２０で処理された結果をユーザに提示する。
【００２２】
一方、サーバ装置２０は、行動データ蓄積手段２１と、グループ行動データ群抽出手段２２と、グループ行動データ処理手段２３と、対象ユーザ行動データ処理手段２４とを備えて構成される。
なお、サーバ装置２０は、例えば、演算部、記憶部、及び、通信部を有するコンピュータ等からなる。そして、記憶部に記憶されたプログラム等に基づいて動作する演算部や、演算部に制御される通信部が、これら行動データ蓄積手段２１、グループ行動データ群抽出手段２２、グループ行動データ処理手段２３、及び、対象ユーザ行動データ処理手段２４として機能する。
【００２３】
行動データ蓄積手段２１は、端末装置１０にて取得されたユーザの行動データを蓄積する。つまり、行動データ蓄積手段２１は、各ユーザの行動データをそれぞれ収集し、全ユーザの行動データを蓄積する。
【００２４】
グループ行動データ群抽出手段２２は、行動データ蓄積手段２１に蓄積された行動データに基づいてユーザをグルーピングし、対象ユーザが属するグループの行動データを抽出する。
このグループ行動データ群抽出手段２２について、図２を参照して、より詳細に説明する。図２は、グループ行動データ群抽出手段２２の詳細を示すブロック図である。
【００２５】
図２に示すように、グループ行動データ群抽出手段２２は、ユーザ属性データ蓄積手段２２１と、ユーザ間距離計算手段２２２と、ユーザグループ作成手段２２３とから構成される。
【００２６】
ユーザ属性データ蓄積手段２２１は、ユーザの年齢や家族の人数などの基本データ（属性データ）を記憶（蓄積）する。
ユーザ間距離計算手段２２２は、ユーザ属性データ記憶手段２２１に記憶された基本情報を元に、対象ユーザと他のすべてのユーザ間の距離を所定の方法で計算する。
ユーザグループ作成手段２２３は、ユーザ間距離計算手段２２２により計算された距離を用いて、対象ユーザとの距離が一定距離以下であるユーザを集めてグループを作成する。
【００２７】
図１に戻って、グループ行動データ処理手段２３は、グループ行動データ群抽出手段２２により抽出されたデータに基づいて、ユーザ全体の中でのグループの位置情報を表示するための表示データを生成する。
【００２８】
対象ユーザ行動データ処理手段２４は、グループ行動データ群抽出手段２２により抽出されたデータに基づいて、グループ内における対象ユーザの位置情報を表示するための表示データを生成する。。
この対象ユーザ行動データ処理手段２４について、図３を参照して、より詳細に説明する。図３は、対象ユーザ行動データ処理手段２４の詳細を示すブロック図である。
【００２９】
図３に示すように、対象ユーザ行動データ処理手段２４は、グループ内ユーザ位置計算手段２４１と、表示方法蓄積手段２４２と、表示データ選択手段２４３と、表示データ加工手段２４４とから構成される。
【００３０】
グループ内ユーザ位置計算手段２４１は、対象ユーザを含むグループにおいて対象ユーザがどこに位置するのかを計算する。
表示方法蓄積手段２４２は、表示方法の指定する情報を記憶（蓄積）する。
表示データ選択手段２４３は、表示方法蓄積手段２４２に記憶された情報に従って、グループのユーザの行動データの中から表示するデータを選択する。
表示データ加工手段２４４は、表示データ選択手段２４３により選択されたデータを加工する。
【００３１】
図１に戻って、サーバ装置２０は、これらグループ行動データ処理手段２３、及び、対象ユーザ行動データ処理手段２４が生成した表示データを端末装置１０に供給し、行動データ提示手段１２にてユーザに提示する。
例えば、図４に示すような表示データが生成され、ユーザに提示される。
【００３２】
図４の表示データには、グループ行動データ処理手段２３が生成する内容Ａと、対象ユーザ行動データ処理手段２４が生成する内容Ｂとが含まれている。
内容Ａには、全体の中での対象ユーザの位置や、グループの位置が表示される。
また、内容Ｂには、内容Ａのグループの内部を拡大した情報にあたる、時系列変化や対象ユーザの周辺のユーザの情報などが表示される。
【００３３】
次に、このような構成の行動促進システムの動作について、図５を参照して説明する。この図５は、本発明の第１の実施形態に係る行動促進システムの動作を示すフローチャートである。
なお、ここでは、行動データを１回取得し、その内容が反映された結果を表示するまでのプロセスを一例として説明する。
【００３４】
まず、端末装置１０において、行動データ取得手段１１は、ユーザの行動データを取得する（ステップＳ１０１）。つまり、行動データ取得手段１１は、ユーザの日々の行動に関するデータを、手動または自動で取得する。
【００３５】
サーバ装置２０の行動データ蓄積手段２１は、行動データ取得手段１１が取得した行動データを蓄積する（ステップＳ１０１）。例えば、行動データ取得手段１１が行動データを取得すると、端末装置１０からサーバ装置２０へその行動データが直ちに送信され、行動データ蓄積手段２１に蓄積される。
【００３６】
サーバ装置２０のグループ行動データ群抽出手段２２は、ユーザ間の距離を計算する（ステップＳ１０３）。より詳細には、ユーザ間距離計算手段２２２が、ユーザ属性データ蓄積手段２２１に記憶された基本情報を元に、対象ユーザと他のすべてのユーザ間の距離を所定の方法で計算する。
【００３７】
グループ行動データ群抽出手段２２は、グループを作成する（ステップＳ１０４）。より詳細には、ユーザグループ作成手段２２３が、ユーザ間距離計算手段２２２により計算された距離を用いて、対象ユーザとの距離が一定距離以下であるユーザを集めてグループを作成する。
そして、グループ行動データ群抽出手段２２は、対象ユーザが属するグループの行動データを抽出する。
【００３８】
サーバ装置２０のグループ行動データ処理手段２３は、グループ行動データ群抽出手段２２により抽出されたデータに基づいて、ユーザ全体の中でのグループの位置を計算する（ステップＳ１０５）。
【００３９】
また、サーバ装置２０の対象ユーザ行動データ処理手段２４は、グループ内におけるユーザの位置を計算する（ステップＳ１０６）。より詳細には、グループ内ユーザ位置計算手段２４１が、対象ユーザを含むグループにおいて対象ユーザがどこに位置するのかを計算する。
【００４０】
対象ユーザ行動データ処理手段２４は、表示データの選択と加工を行う（ステップＳ１０７）。より詳細には、表示データ選択手段２４３が、表示方法蓄積手段２４２に記憶された情報に従って、グループのユーザの行動データの中から表示するデータを選択し、また、表示データ加工手段２４４が、表示データ選択手段２４３により選択されたデータを加工する。
【００４１】
すなわち、グループ行動データ処理手段２３、及び、対象ユーザ行動データ処理手段２４は、上述した図４に示すような表示データを生成する。つまり、全体の中での対象ユーザの位置やグループの位置を表示する内容Ａと、及び、グループの内部を拡大した情報（時系列変化や対象ユーザの周辺のユーザの情報）を表示する内容Ｂを含む表示データを生成する。
そして、生成された表示用データは、サーバ装置２０から端末装置１０に送信される。
【００４２】
端末装置１０の行動データ提示手段１２は、生成された表示データを、端末装置１０の表示領域等に合わせて整形する（ステップＳ１０８）。
そして、行動データ提示手段１２は、整形した表示データをユーザに提示する（ステップＳ１０９）。
【００４３】
このように、本発明の第１の実施形態に係る行動促進システムは、ユーザが目標達成のために行う行動に伴う行動データを利用し、同じ目標に向けて行動する他のユーザの行動データを用いて対象ユーザの周辺のユーザのグループを作成する。そして、全体の中でのグループの位置と、グループの中での対象ユーザの位置という２段階の提示を行うことにより、ユーザの行動を促進する。
【００４４】
つまり、ユーザがある行動を行う際に、行動の目標に関する達成度に応じてユーザをグループ化し、全体の中でのグループの位置付けとグループ内でのユーザの位置付けの両方を提示することにより、ユーザの行動をより促進することができる。
これは、全体はおおまかに、周辺は詳細にというように、２段階で提示することにより、ユーザは同じ行動をしているユーザ群全体の状態をおおまかに把握できるようになり、それに加えて、自分と同じように努力している他者との位置関係や、協調や競争の実感を持つことができるためである。
【００４５】
すなわち、本発明では、全体の中での対象ユーザの順位を表示するのではなく、全体の中での対象ユーザが含まれるグループの順位を表示する点が最初の特徴となる。
また、本発明では、単に全体の中での順位とグループの中での順位を並べて表示するのではなく、全体の中での情報をおおまかに、グループの中での情報を詳細に、という２種類の粒度により情報を表示する点が次の特徴となる。
つまり、全体の中でのユーザの順位や、他者の順位、人数の分布などは、まとめておおまかに表示し、グループの中では前後のユーザの具体的な行動データや所定の計算手法による行動データの評価値も合わせて表示する。また、対象ユーザの特性など行動データ以外のデータを合わせて提示することで、目の前にリアルなライバルを感じさせ、ユーザの行動を促進できる効果が得られる。
【００４６】
例えば、行動データを所定の計算手法により評価し、目的の行動の達成度という値に変換してユーザを並べ替えた場合について説明する。
まず、全体の中で対象ユーザが含まれるグループ以外の部分については、例えば、『達成度が９０〜１００のユーザは１０人です』、『達成度が８０〜９０のユーザは２５人です』、『あなたのグループの前には１００人のユーザがいます』等のように、すべての順位情報を逐一表示するのではなく、まとめた値を表示する。
次に、グループ内については、例えば、『達成度があなたの次に高いユーザはＡさんで、今日はＢ行動をＣ時間行い、Ｄ％達成しました。』等のように、順位や評価値、行動データを詳細に表示する。また、ユーザの属性データのように、行動データ以外のデータを合わせて表示することも可能である。
【００４７】
この結果、目標達成のために行うユーザの行動を適切に促進することができる。
【実施例２】
【００４８】
次に、本発明の第２の実施形態について図面を参照して詳細に説明する。
図６は、本発明の第２の実施形態に係る行動促進システムの構成を示すブロック図である。図示するように、本発明の第２の実施形態に係る行動促進システムは、ユーザが操作または閲覧する端末装置１０と、データの蓄積および計算処理を行うサーバ装置３０とからなる。
【００４９】
端末装置１０は、上述した第１の実施形態と同様に、行動データ取得手段１１と、行動データ提示手段１２とを備えて構成される。つまり、端末装置１０の構成は、第１の実施形態と同じである。そのため、端末装置１０の詳細な説明は省略する。
【００５０】
一方、サーバ装置３０は、行動データ蓄積手段２１と、グループ行動データ群抽出手段２２と、グループ行動データ処理手段２３と、対象ユーザ行動データ処理手段２４と、表示方法変更手段３５とを備えて構成される。つまり、上述した第１の実施形態のサーバ装置２０の構成に表示方法変更手段３５を加えた構成となっている。そのため、行動データ蓄積手段２１〜対象ユーザ行動データ処理手段２４についての詳細な説明は省略する。
【００５１】
表示方法変更手段３５は、行動データ蓄積手段２１に蓄積されたユーザの行動データを参照して、最適な表示方法を計算する。そして、計算結果を対象ユーザ行動データ処理手段２４における表示方法蓄積手段２４２（上述した図３参照）に与える。
【００５２】
この表示方法変更手段３５により、本発明の第２の実施形態に係る行動促進システムでは、ユーザに対して最も効果のある表示方法をシステムが学習することができ、より効果的に行動促進を図ることができる。
【実施例３】
【００５３】
次に、本発明の第３の実施形態について図面を参照して詳細に説明する。
図７は、本発明の第３の実施形態に係る行動促進システムの構成を示すブロック図である。図示するように、本発明の第３の実施形態に係る行動促進システムは、ユーザが操作または閲覧する端末装置１０と、データの蓄積および計算処理を行うサーバ装置４０とからなる。
【００５４】
端末装置１０は、上述した第１の実施形態と同様に、行動データ取得手段１１と、行動データ提示手段１２とを備えて構成される。そのため、端末装置１０についての詳細な説明は省略する。
【００５５】
一方、サーバ装置４０は、行動データ蓄積手段２１と、グループ行動データ群抽出手段２２と、グループ行動データ処理手段２３と、対象ユーザ行動データ処理手段２４と、分類方法指定手段４６とを備えて構成される。つまり、上述した第１の実施形態のサーバ装置２０の構成に分類方法指定手段４６を加えた構成となっている。そのため、行動データ蓄積手段２１〜対象ユーザ行動データ処理手段２４についての詳細な説明は省略する。
【００５６】
分類方法指定手段４６は、ユーザをグルーピングする際のグループの作成方法を受け取り、グループ行動データ群抽出手段２２におけるユーザグループ作成手段２２３（上述した図２を参照）に反映する。
【００５７】
この分類方法指定手段４６により、本発明の第３の実施形態に係る行動促進システムでは、ユーザを行動データに基づいて分類するだけでなく、地域に基づいたグループを作成したり、構成人数が同じでメンバーがランダムなグループを作成したりと、様々な分類方法が実現できる。つまり、任意の分類方法が指定できることにより、任意のグループの中で仲間意識や競争心を高めることができ、目的や行動の種類に応じて柔軟なグループを編成することができる。
【実施例４】
【００５８】
次に、本発明の第４の実施形態について図面を参照して詳細に説明する。
図８は、本発明の第４の実施形態に係る行動促進システムの構成を示すブロック図である。図示するように、本発明の第４の実施形態に係る行動促進システムは、ユーザが操作または閲覧する端末装置１０と、データの蓄積および計算処理を行うサーバ装置５０とからなる。
【００５９】
端末装置１０は、上述した第１の実施形態と同様に、行動データ取得手段１１と、行動データ提示手段１２とを備えて構成される。そのため、端末装置１０についての詳細な説明は省略する。
【００６０】
一方、サーバ装置５０は、行動データ蓄積手段２１と、グループ行動データ群抽出手段２２と、グループ行動データ処理手段２３と、対象ユーザ行動データ処理手段２４と、表示方法変更手段３５と、分類方法指定手段４６とを備えて構成される。つまり、上述した第２の実施形態のサーバ装置３０における表示方法変更手段３５と、上述したサーバ装置４０における分類方法指定手段４６との両方を備えている。
なお、これら行動データ蓄積手段２１〜対象ユーザ行動データ処理手段２４、表示方法変更手段３５、及び、分類方法指定手段４６は、上述した実施形態と同様であるため、詳細な説明は省略する。
【００６１】
これら表示方法変更手段３５と、分類方法指定手段４６との両方を備える本発明の第４の実施形態に係る行動促進システムでは、上述した第２の実施形態の効果と第３の実施形態の効果とを併せ持ち、最も柔軟かつ効果的に行動を促進することができる。
【実施例５】
【００６２】
次に、より具体的な実施例を用いて、本発明を説明する。
本実施例として、ある地域の住民全員が、電気・ガス・水道の使用量の節約という環境に関連する行動に取り組んでいる場合を挙げて説明する。この場合の行動データは、電気の使用量や水道の使用量であり、１日単位で取得した数値を用いることとする。また、本実施例では１ユーザを１家庭とする。
【００６３】
なお、本実施例を説明するにあたり、一例として、上述した図１に示す行動促進システムの構成を用いて説明する。
【００６４】
まず、行動促進システムは、行動データ取得手段１１によってユーザの日々の使用量を取得する。
具体的に、この行動データ取得手段１１は、例えば、各家庭に備え付けられたパソコン等である端末装置１０の構成であり、ユーザがメータから読み取った数値を手動等にて入力するための、キーボードやマウス等である。
なお、これ以外にも、行動データ取得手段１１は、電気や水道のメータに備え付けられ、数値を自動取得し、ネットワークを介して自動的にシステムに送信するデバイスであってもよい。
【００６５】
行動データ取得手段１１により取得されたデータは、行動データ蓄積手段２１に蓄積される。
具体的に、行動データ蓄積手段２１には、一例として、図９に示すようなデータが蓄積される。サーバ装置２０は、このような蓄積されたデータを元に計算を行い、最終的な結果（表示データ）を生成して、端末装置１０の行動データ提示手段１２に提示させる。
具体的に、行動データ提示手段１２は、例えば、各家庭のパソコン等である端末装置１０の構成であり、ホームページ等を表示するディスプレイ等である。
【００６６】
サーバ装置２０のグループ行動データ群抽出手段２２は、上述した図９のようなデータをもとに、対象ユーザを含むグループを作成する。
グループを作成する際に、グループ行動データ群抽出手段２２は、電気使用量・ガス使用量・水道使用量のそれぞれについてグループを作成してもよいし、３つの値をまとめた総合的なグループを作成してもよい。
【００６７】
一例として、後者の総合的なグループを作成する場合について説明すると、グループ行動データ群抽出手段２２は、まず、ユーザ属性データ蓄積手段２１に蓄積されたユーザの属性データを元に、行動データ蓄積手段２１に蓄積された行動データ（生の数値データ）を、グループ化における計算ができるように変換する。
なお、各家庭、つまり家単位でデータの計測を行った場合に、家族の人数や仕事の形態（例えば、昼間家にいるかいないか等）によりデータの値が異なっている。そのため、行動を促進するためには、取得したデータそのものを比較するより、各自が普段の生活の中でどの程度努力したか、目標に近づいたかといった値に変換して比較したほうが効果がある。
そこで、グループ行動データ群抽出手段２２は、行動データ（生の数値データ）を、グループ化における計算ができるように変換する。
【００６８】
より詳細に、グループ行動データ群抽出手段２２におけるユーザ属性データ蓄積手段２２１（図２を参照）に、図１０に示すような属性データが蓄積されていた場合、行動データ蓄積手段２１は、この属性データに従って、図９の行動データを変換する。
グループ行動データ群抽出手段２２による変換結果の一例を図１１に示す。この図１１では、図９における各使用量の値を、図１０の世帯の人数（家族人数）で割り、全国平均との差を取って、家庭の１人あたりの節約度合い（節約という行動の努力度合い）として求められている。
なお、グループ行動データ群抽出手段２２は、図１０に示した家族構成員の詳細な情報を使用して、各自の活動時間に応じた変換をさらに行ってもよい。
【００６９】
この図１１に示すような３種類のデータを総合してグループを作成する際には、まず、グループ行動データ群抽出手段２２におけるユーザ間距離計算手段２２２（図２を参照）が、対象ユーザのデータと他のすべてのユーザのデータとの距離を計算する。
この計算のアルゴリズムの一例を、図１２に示す。
図１２のアルゴリズムでは、３種類のデータに重み付けをして総合的な節約度を求め、その後で引き算により対象ユーザと別のユーザとの距離を求めている。
重みの値を変更することにより、図１１に示す電気・ガス・水道使用量節約のそれぞれの努力度合いのすべてを均等に反映したグループを作成することもできれば、電気使用量の節約のみに着目したグループを作成することもできる。
【００７０】
グループ行動データ処理手段２３は、グループ行動データ群抽出手段２２により作成されたグループの、全ユーザ群の中における位置を計算して表示する（表示データを生成する）。例えば、上述した図１２のアルゴリズムに従って計算された対象ユーザとの距離に従って全ユーザを一直線上に並べ、直線の先に目標を設け、距離を計算した結果がプラスになれば対象ユーザより前に配置し、逆にマイナスであれば後ろに配置することで、対象ユーザの属するグループについて全体の中での位置を示すことができる。
また、全ユーザの数や、上述した図１１のように求められた節約度合いの全体平均といった、行動しているユーザ群全体の状況を表す情報を合わせて表示してもよい。
具体的な表示例を、図１３に示す。
【００７１】
対象ユーザ行動データ処理手段２４は、グループ行動データ群抽出手段２２により作成・抽出されたグループのデータを用いて、対象ユーザの所属するグループにおける位置や対象ユーザの周囲の行動データを詳細に表示する（表示データを生成する）。
具体的な表示例を図１４に示す。この図では、グループ内での対象ユーザの順位と、対象ユーザの１つ前または後ろにいるユーザの情報と、急速に順位を上げたユーザの情報が、努力度合いの推移を示すグラフの形で表示されている。
なお、行動データ蓄積手段２１に蓄積された過去のデータを参考にすることにより、このような時系列変化を考慮したデータの表示も可能となる。
【００７２】
以上のように表示するデータが計算されると、対象ユーザ行動データ処理手段２４における表示データ選択手段２４３（図３を参照）と表示データ加工手段２４４（図３を参照）により、表示方法蓄積手段２４２（図３を参照）に蓄積されている表示方法に従ってデータが選択または加工される。
例えば、より実感が持てる表示のために、電気使用量を二酸化炭素の量に換算するなど、他の数値への変換計算を行ってもよい。
また、上述した第２の実施形態や第４の実施形態のように、表示方法変更手段３５が付属している場合には、数値の変換や埋め込みに加えて、提示する数値の取捨選択や強調処理などを行う。例えば、表示方法変更手段３５は、急速に順位が上がったユーザのデータを強調して表示するよう指定し、次の行動データが入力された際に、過去の行動データと努力度合いを比較し、効果が見られるようであれば、次からも同じデータを強調するよう指定し続ける。
順位が上がったユーザのデータを強調した表示例を、図１５に示す。
【００７３】
以上の具体的な実施例では、電気・ガス・水道の３つのデータを統合してユーザをグループに分類する場合を示したが、電気・ガス・水道のそれぞれについて別々にグループ化し、それぞれについて上述した図１４のような表示を行ってもよい。
また、上述した第３の実施形態や第４の実施形態のように、グループの作成の仕方を示す分類方法指定手段４６が付属している場合には、地域・自治体の班に基づいた分類も可能であるし、学校主体の取り組みであれば、各家庭の子供が属するクラスを基準に分類することも可能である。
分類方法指定手段４６により指定される分類方法の一例を、図１６に示す。
【産業上の利用可能性】
【００７４】
本発明によれば、電気代の節約やゴミの分別など、環境に良い行動を促進する用途に適用できる。また、提示方法を変更することで、学習塾などで他者のテストの点数や目標の達成度を効果的に提示し、学習意欲を向上させるといった用途にも適用可能である。その他にも、ボランティア活動の促進、運動等で目標を達成するためのトレーニングなど、行動が数値で表せて、他者の状況を参照することで意欲が向上するような行動の促進という用途に幅広く適用可能である。
つまり、目標達成のために行うユーザの行動を適切に促進することのできる行動促進システム、サーバ、提示方法、および、プログラムを提供することができる。
【符号の説明】
【００７５】
１０  端末装置
１１  行動データ取得手段
１２  行動データ提示手段
２０、３０，４０，５０  サーバ装置
２１  行動データ蓄積手段
２２  グループ行動データ群抽出手段
２３  グループ行動データ処理手段
２４  対象ユーザ行動データ処理手段
３５  表示方法変更手段
４６  分類方法指定手段
【図１】
2010204883.tif 000003
【図２】
2010204883.tif 000004
【図３】
2010204883.tif 000005
【図４】
2010204883.tif 000006
【図５】
2010204883.tif 000007
【図６】
2010204883.tif 000008
【図７】
2010204883.tif 000009
【図８】
2010204883.tif 000010
【図９】
2010204883.tif 000011
【図１０】
2010204883.tif 000012
【図１１】
2010204883.tif 000013
【図１２】
2010204883.tif 000014
【図１３】
2010204883.tif 000015
【図１４】
2010204883.tif 000016
【図１５】
2010204883.tif 000017
【図１６】
2010204883.tif 000018